(57)【要約】【課題】簡単な構成でメモリーカードを着脱可能に保持できるカードコネクタを得る。【解決手段】  カードコネクタ１が、ベースプレート１０と、ベースプレートの上面を覆って装着可能且つ前後にスライド移動可能なカードホルダ２０と、ベースプレートに取り付けられて接触部３３がベースプレートの上面より上方に突出する複数のコンタクト３０とを備える。ベースプレートの上面にメモリカードを載置してカード側端子８２と接触部３３とを当接接触させた状態で、ベースプレートの上面を覆ってカードホルダを取り付けるとともにこれを押し下げてメモリカードを下方に押し下げたときに、アーム部３２が弾性変形して接触部がスロット１１ａ内に入り込んでアーム部の弾性変形力により接触部がカード側端子と押圧接触する。この状態で、プレート側係止部１３Ｌ，１３Ｒと、ホルダ側係合部２２Ｌ，２２Ｒが互いに係止してカードホルダが上動するのを阻止する。【選択図】図５
2010177215.tif 000002
【特許請求の範囲】
【請求項１】
矩形平板状のベースプレートと、前記ベースプレートの上面を覆って前記ベースプレートに装着可能で且つ前記上面に沿って前後にスライド移動可能に前記ベースプレートに取り付けられるカードホルダと、前記ベースプレートに取り付けられて接触部が前記ベースプレートの上面より上方に突出する複数のコンタクトとを備え、
矩形平板状のメモリカードを前記ベースプレートの上面に載置するとともに前記ベースプレートの上面を覆って前記カードホルダを取り付け、前記メモリカードの下面に設けられたカード側端子と前記コンタクトの前記接触部とを当接接触させるように構成されたカードコネクタであって、
前記複数のコンタクトがそれぞれ、前記ベースプレートに固定保持された基部と、前記基部の一端側に一体に繋がって前記ベースプレートの下面側に延びたリード部と、前記基部の他端側に一体に繋がって前記ベースプレートに上面側に開口して形成されたスロット内に延びたアーム部と、前記アーム部の先端側に繋がるとともに前記ベースプレートの上面より上方に突出した前記接触部とから構成され、
前記ベースプレートの上面に前記メモリカードを載置して前記メモリカードの下面の前記カード側端子と前記接触部とを当接接触させた状態で、前記ベースプレートの上面を覆って前記カードホルダを取り付けるとともに前記カードホルダを押し下げて前記メモリカードを下方に押し下げたときに、前記アーム部が弾性変形して前記接触部が前記スロット内に入り込んで前記アーム部の弾性変形力により前記接触部が前記カード側端子と押圧接触するように構成されており、
前記ベースプレートの左右側部に形成されたプレート側係止部と、前記カードホルダの左右側部に形成されたホルダ側係合部とから構成され、前記ベースプレートの上面を覆って取り付けられた前記カードホルダを押し下げた状態で前記プレート側係止部と前記ホルダ側係止部とが互いに係止して前記カードホルダが上動するのを阻止する係止保持手段を備えたことを特徴とするカードコネクタ。
【請求項２】
前記プレート側係止部が前後に延びる突起状に形成されるとともに下面にプレート側係止面を有し、前記ホルダ側係止部が前後に延びる突起状に形成されるとともに上面にホルダ側係止面を有し、
前記ベースプレートの上面に前記メモリカードを載置するとともに前記ベースプレートの上面を覆って前記カードホルダを取り付けるときに、前記プレート側係止部と前記ホルダ側係止部が前後にずれて位置して前記ホルダ側係止部が前記プレート側係止部と干渉することなく下方に移動し、前記カードホルダを押し下げたまま前後にスライド移動させることにより前記ホルダ側係止部が前記プレート側係止部の下方に位置し、前記カードホルダの押し下げを解放すると前記ホルダ側係止面が前記プレート側係止面と係合して前記カードホルダの上動を阻止して係止保持するように構成されたことを特徴とする請求項１に記載のカードコネクタ。
【請求項３】
前記ホルダ側係止面が係合スライド移動方向に向かって斜め上に延びるテーパを有して形成され、前記プレート側係止面が係合スライド移動方向に向かって斜め下に延びるテーパ面を有して形成され、前記アーム部の弾性変形力を受けて前記メモリカードを介して前記カードホルダが上動方向の力を受けることにより、前記ホルダ側係止部と前記プレート側係止部との係合を強める方向の力が作用するように構成されていることを特徴とする請求項１もしくは２に記載のカードコネクタ。
【請求項４】
前記カードホルダに上下に貫通する開口が形成され、
前記ベースプレートの上面に、前記カードホルダが前記倒伏姿勢の状態で前記開口を通して前記ベースプレートの上面側に向かって露出する平面状の吸着部が形成されていることを特徴とする請求項１〜３のいずれかに記載のカードコネクタ。
【発明の詳細な説明】
【技術分野】
【０００１】
本発明は、ＩＣチップを有するＩＣチップ基板等のような所定情報が記録可能なメモリカードと電子機器等との間に介在してこれら両者間の情報伝送を可能にするカードコネクタに関する。
【背景技術】
【０００２】
ＩＣチップ基板（ＩＣチップカード、メモリカード等と称される）は小型のＩＣチップが実装されて種々の情報を記録可能な構成となっており、様々な電子機器に使用され、電子機器に実装されたカードコネクタを介して電子機器との間で情報伝送が行われる。
【０００３】
電子機器に使用されるカードコネクタとして、従来から種々の型式のカードコネクタが考案されており、例えば特許文献１にも記載があるように、導電性のコンタクト（接触端子）を保持する絶縁性のベースプレート（モールド）と、ベースプレートに対して揺動可能に取り付けられたカードホルダとから構成される。このようなカードコネクタは、ＩＣチップ基板を一旦カードホルダに取り付け、このカードホルダを揺動させてカードホルダがＩＣチップ基板を被せるようにしてＩＣチップ基板をコンタクトに抑え付け、ＩＣチップ基板の面端子とコンタクトとを接触させる構成となっている。このような、いわゆる接点部押し当て方式のカードコネクタでは、ＩＣチップ基板の面端子とコンタクトとを確実に導通させる必要性があるため、ＩＣチップ基板を装着させた状態でカードホルダをコンタクトが設けられたベースプレートに、ネジによる締結固定をしたり、もしくはバネのような付勢手段により抑え付けている。あるいは、ＩＣチップ基板のベースプレートへの固定は、カードホルダによる抑え付けによらずにベースプレートに固定手段を設け、この固定手段によりＩＣチップ基板の面端子をコンタクトに抑え付ける方法によるもの（ベースプレート自身によるＩＣチップ基板の固定）もある。
【先行技術文献】
【特許文献】
【０００４】
【特許文献１】特開平９−２７０２７９号公報
【発明の概要】
【発明が解決しようとする課題】
【０００５】
しかしながら、カードホルダによりＩＣチップ基板をコンタクトに抑え付けた状態でカードホルダをベースプレートに固定する方法では、カードホルダをベースプレートに固定させるためのネジやバネといった部品が必要であるため、その分、部品点数が多くなりカードコネクタのコストが上昇する、といった問題がある。また、カードホルダによる押さえ付けによらずにベースプレートに固定手段を設けてＩＣチップ基板をベースプレートのみで固定する方法では、ＩＣチップ基板の面端子とコンタクトとを導通させる必要があるため、ＩＣチップ基板をベースプレートに確実に固定させなければならず、ＩＣチップ基板が簡単に外れないようにするためにベースプレートに設けられた固定手段の構造が複雑になる、といった問題がある。
【０００６】
本発明はこのような問題に鑑みたもので、簡単な構成で、メモリカードをカードホルダによりベースプレート上に押圧保持させることが可能なカードコネクタを提供することを目的とする。
【課題を解決するための手段】
【０００７】
前記課題を解決するために本発明に係るカードコネクタは、矩形平板状のベースプレートと、前記ベースプレートの上面を覆って前記ベースプレートに装着可能で且つ前記上面に沿って前後にスライド移動可能に前記ベースプレートに取り付けられるカードホルダと、前記ベースプレートに取り付けられて接触部が前記ベースプレートの上面より上方に突出する複数のコンタクトとを備え、矩形平板状のメモリカードを前記ベースプレートの上面に載置するとともに前記ベースプレートの上面を覆って前記カードホルダを取り付け、前記メモリカードの下面に設けられたカード側端子と前記コンタクトの前記接触部とを当接接触させるように構成される。さらに、前記複数のコンタクトがそれぞれ、前記ベースプレートに固定保持された基部と、前記基部の一端側に一体に繋がって前記ベースプレートの下面側に延びたリード部と、前記基部の他端側に一体に繋がって前記ベースプレートに上面側に開口して形成されたスロット内に延びたアーム部と、前記アーム部の先端側に繋がるとともに前記ベースプレートの上面より上方に突出した前記接触部とから構成され、前記ベースプレートの上面に前記メモリカードを載置して前記メモリカードの下面の前記カード側端子と前記接触部とを当接接触させた状態で、前記ベースプレートの上面を覆って前記カードホルダを取り付けるとともに前記カードホルダを押し下げて前記メモリカードを下方に押し下げたときに、前記アーム部が弾性変形して前記接触部が前記スロット内に入り込んで前記アーム部の弾性変形力により前記接触部が前記カード側端子と押圧接触するように構成されており、さらに、前記ベースプレートの左右側部に形成されたプレート側係止部と、前記カードホルダの左右側部に形成されたホルダ側係合部とから構成され、前記ベースプレートの上面を覆って取り付けられた前記カードホルダを押し下げた状態で前記プレート側係止部と前記ホルダ側係止部とが互いに係止して前記カードホルダが上動するのを阻止する係止保持手段を備える。
【０００８】
上記構成のカードコネクタにおいて、好ましくは、前記プレート側係止部が前後に延びる突起状に形成されるとともに下面にプレート側係止面を有し、前記ホルダ側係止部が前後に延びる突起状に形成されるとともに上面にホルダ側係止面を有し、前記ベースプレートの上面に前記メモリカードを載置するとともに前記ベースプレートの上面を覆って前記カードホルダを取り付けるときに、前記プレート側係止部と前記ホルダ側係止部が前後にずれて位置して前記ホルダ側係止部が前記プレート側係止部と干渉することなく下方に移動し、前記カードホルダを押し下げたまま前後にスライド移動させることにより前記ホルダ側係止部が前記プレート側係止部の下方に位置し、前記カードホルダの押し下げを解放すると前記ホルダ側係止面が前記プレート側係止面と係合して前記カードホルダの上動を阻止して係止保持するように構成される。
【０００９】
さらに、上記構成のカードコネクタにおいて、好ましくは、前記ホルダ側係止面が係合スライド移動方向に向かって斜め上に延びるテーパを有して形成され、前記プレート側係止面が係合スライド移動方向に向かって斜め下に延びるテーパ面を有して形成され、前記アーム部の弾性変形力を受けて前記メモリカードを介して前記カードホルダが上動方向の力を受けることにより、前記ホルダ側係止部と前記プレート側係止部との係合を強める方向の力が作用するように構成される。
【００１０】
さらに、上記構成のカードコネクタにおいて、好ましくは、前記カードホルダに上下に貫通する開口が形成され、前記ベースプレートの上面に、前記カードホルダが前記倒伏姿勢の状態で前記開口を通して前記ベースプレートの上面側に向かって露出する平面状の吸着部が形成される。
【発明の効果】
【００１１】
本発明に関するカードコネクタによれば、ネジやバネといった固定部材を用いずにカードホルダをベースプレートに固定することが可能であるためシンプルな構造となる。特に、コンタクトを構成するアーム部をスロット内に延びて弾性変形可能とし、アーム部の先端をベースプレートの上面から上方に突出させ、ベースプレートの上面にメモリカードを載置してメモリカードの下面のカード側端子と接触部とを当接接触させた状態で、ベースプレートの上面を覆って前記カードホルダを取り付けてこれを押し下げてメモリカードを下方に押し下げるだけで、アーム部が弾性変形して接触部がスロット内に入り込んでアーム部の弾性変形力により接触部がカード側端子と押圧接触するので、メモリカードの保持および端子の電気接続を行わせる構成をシンプルなものとすることができる。このカードコネクタはさらに、ベースプレートの左右側部に形成されたプレート側係止部と、カードホルダの左右側部に形成されたホルダ側係合部とから構成される係止保持手段を備えており、ベースプレートの上面を覆って取り付けられたカードホルダを押し下げた状態でプレート側係止部とホルダ側係止部とが互いに係止してカードホルダが上動する構成であり、この構成が非常にシンプルである。
【００１２】
なお、上記構成のカードコネクタにおいて、好ましくは、メモリカードを載置したベースプレートの上面を覆ってカードホルダを取り付けるときに、プレート側係止部とホルダ側係止部が前後にずれて位置してホルダ側係止部がプレート側係止部と干渉することなく下方に移動し、カードホルダを押し下げたまま前後にスライド移動させることによりホルダ側係止部がプレート側係止部の下方に位置し、カードホルダの押し下げを解放するとホルダ側係止面がプレート側係止面と係合してカードホルダの上動を阻止して係止保持する構成とするのが好ましく、これにより、カードホルダの係止保持構造をシンプルとするとともに、その係止保持させる作動が簡単に行えるようになる。
【００１３】
さらに、上記構成のカードコネクタにおいて、ホルダ側係止面が係合スライド移動方向に向かって斜め上に延びるテーパを有し、プレート側係止面が係合スライド移動方向に向かって斜め下に延びるテーパ面を有するように形成すれば、アーム部の弾性変形力を受けてメモリカードを介してカードホルダが上動方向の力を受けることにより、ホルダ側係止部とプレート側係止部との係合を強める方向の力が作用して、カバー部材の係合が解除されにくい構成とすることができる。このため、カードコネクタを落としたときのようにカードコネクタに加えられる振動、衝撃に対してカバー部材がベースプレートから解除されにくくなっている。すなわち、本発明に係るカードコネクタは、シンプルな構造とすることでカードコネクタの製造コストを抑えつつも、カードコネクタに装着されるＩＣチップ基板（メモリカード）といった基板が簡単に外れないようになっており、コスト面を考慮しながら基板とコンタクトとの確実な導通性をも考慮した優れたものといえる。
【００１４】
また、本発明に係るカードコネクタを構成するカードホルダには、倒伏姿勢の状態における上下に貫通する開口が形成され、ベースプレートの上面に、カードホルダが倒伏姿勢の状態で開口を通して露出される平面状の吸着部が形成されているため、カードホルダをベースプレートに被せて倒伏姿勢にした状態で、当該開口を介して露出される吸着面を自動実装機に直接吸着させれば、カードコネクタを配線基板上の所望もしくは任意の位置に実装させることが可能である。このように、本発明では、自動実装機による自動実装のために従来必要とされていた吸着パットといった付属部品を別途取り付ける必要がないため、このような点からも製造コストを抑えることが可能である。
【図面の簡単な説明】
【００１５】
【図１】本発明に係るカードコネクタの展開姿勢の状態を示す斜視図である。
【図２】上記カードコネクタに取り付けられるＩＣチップ基板の平面図である。
【図３】（ａ）は上記カードコネクタの展開姿勢の状態における平面図で、（ｂ）は上記カードコネクタの展開姿勢の状態における底面図である。
【図４】上記カードコネクタの展開姿勢の状態における正面図である。
【図５】上記カードコネクタの倒伏姿勢の状態における、図３（ａ）のＸ−Ｘ´間の側断面図である。
【図６】上記カードコネクタの左側面図で、展開姿勢から倒伏姿勢に向けて揺動するカードホルダの様子を示す図である。
【図７】上記カードコネクタの倒伏姿勢における前端部における左側部分側面図である。
【図８】上記カードコネクタを構成するベースプレートの斜視図である。
【図９】上記カードコネクタの倒伏姿勢における底面側の部分斜視図である。
【発明を実施するための形態】
【００１６】
以下、本発明の好ましい実施形態について図面を参照して説明する。図１に本発明に係るカードコネクタの好ましい実施例を斜視図として示し、図２にカードコネクタに取り付けられるＩＣチップ基板の平面図を示す。また、図３（ａ）に上記カードコネクタの展開姿勢（カードコネクタを構成するカードホルダが上方に揺動した姿勢）の状態における平面図を示し、図３（ｂ）に上記カードコネクタの展開姿勢の状態における底面図を示す。また、図４にカードコネクタの展開姿勢の状態における正面図を示し、図５に図３（ａ）のＸ−Ｘ´間の側断面図を示し、図６にカードコネクタの展開姿勢における左側面図を示す。また、図７にカードコネクタの倒伏姿勢における前端部における左側部分側面図を示し、図８にカードコネクタを構成するベースプレートの斜視図を示し、図９にカードコネクタの展開姿勢における底面側の部分斜視図を示す。なお、実施例においては、説明の便宜上、図１中に座標軸および方向を付記する様に、前後・左右および上下を定義して説明するが、カードホルダ２０の形状を説明する場合には、カードホルダ２０がベースプレート１０に倒伏した倒伏姿勢において図１中に示す座標軸と一致する方向を前後・左右および上下を定義して説明する。
【００１７】
カードコネクタ１は、矩形平板状のベースプレート１０と、このベースプレート１０に後端側が揺動およびスライド移動可能に支持されたカードホルダ２０と、ベースプレート１０に圧入固定された複数のコンタクト３０とから構成されており、図１に示すようにベースプレート１０に対してカードホルダ２０を開いた展開姿勢で図２に示すようなＩＣチップ８１が実装された矩形平板状のＩＣチップ基板８０をベースプレート１０上に載置するようにしてベースプレート１０に受容させ、カードホルダ２０をベースプレート１０の上面を覆うように倒伏させて閉じた倒伏姿勢において、ＩＣチップ基板８０に設けられた面端子８２とコンタクト３０とを当接接触させる形態のカードコネクタである。
【００１８】
ベースプレート１０は、矩形平板状のプレート部１１、このプレート部１１の後端側の左右に形成された軸支部１２，１２、プレート部１１の前端側の左右に形成された前方保持部１３Ｌ，１３Ｒ、プレート部１１の左右両側面１７，１７に立設された中央張出部１４，１４、プレート部１１の下面に突出して形成され回路基板上にカードコネクタ１を実装する場合に位置決めを行うための位置決めポスト１８ａ，１８ａなどからなり、例えば、液晶ポリマー（ＬＣＰ）やポリフェニレンサルファイド（ＰＰＳ）ポリアミドイミド（ＰＡＩ）などの電気絶縁性の樹脂材料を用いて射出成形等の成形手段により図示する形状に一体成形される。
【００１９】
プレート部１１には、プレート部１１の前後方向に延びる長孔状のコンタクトスロット１１ａが左右に２２個ずつ前後４列に並んで形成されるとともに、プレート部１１の底面がコンタクトスロット１１ａの前後の側端面から延びるようにして凹んでコンタクト３０を保持する溝状のコンタクト保持溝１１ｂが形成されている。また、プレート部１１の略中央部には、コンタクトスロット１１ａ，１１ａにより前後が挟まれた位置に位置し、カードコネクタ１を基板上に自動実装させる自動実装機を吸着させるための平面視略矩形状の平坦な吸着部１５が形成されている。
【００２０】
中央張出部１４は、プレート部１１から側方に側面視逆Ｌ字状に突出形成されており、プレート部１１の側面を前後に且つやや斜め下方にアーム状に延びる部分は、後述するホルダ側ロックアーム２２ｍを係止可能なプレート側ロックアーム１４ｍを構成している。中央張出部１４よりも前方であってプレート部１１の側面最下部には、プレート部１１の側面から側方に側面視略矩形状に突出する係止部１６が形成されている。
【００２１】
前方支持部１３Ｌ，１３Ｒの各底面後部には後方に向けて斜め下方に傾斜するプレート側テーパ面１３ｈ，１３ｈが形成されていて、このプレート側テーパ面１３ｈ，１３ｈは、後述するように、カードホルダ２０の前端側に延びて突出形成された側面部２２，２２の突出端部２２Ｌ，２２Ｒの上面に形成されたホルダ側テーパ面２２ｈ，２２ｈに当接可能である。
【００２２】
コンタクト３０は、コンタクト保持溝１１ｂに固定される基部３１と、この基部３１から上方に折り曲げられ一旦下方に折り返されてから斜め上方に延びるコンタクトアーム部３２と、コンタクトアーム部３２の先端部に形成されて上方に凸な円弧状の接触部３３と、基部３１から下方に屈曲および水平に折り返されてコンタクトアーム部３２と反対方向に延びるリード部３４とからなり、例えば、ベリリューム銅やバネ用ステンレス鋼などの導電性金属材料の薄板をファインブランキングプレス（精密打抜加工）等の成形手段により加工成形して図示する形状に構成する。
【００２３】
各コンタクト３０は、プレート部１１の下部に前後に延びて形成されたコンタクト保持溝１１ｂからコンタクトスロット１１ａに向けて挿入され、基部３１がコンタクト保持溝１１ｂに圧入されてベースプレート１０に取り付けられる。コンタクト３０は、基部３１がコンタクト保持溝１１ｂに固定保持されると、コンタクトスロット１１ａに突出するコンタクトアーム部３２が片持ち支持された板バネのように作用し、アーム先端の接触部３３が上下方向に揺動変位自在に支持される。
【００２４】
このため、接触部３３は無負荷時においてコンタクトスロット１１ａからプレート部１１の上面に突出して位置しているが、上方から押圧されるとコンタクトアーム部３２が弾性変形して下方に揺動変位し、接触部３３を含むコンタクトアーム部３２全体がコンタクトスロット１１ａ内に押し沈められるように収容される基部３１から下方に屈曲および水平に折り返されたリード部３４は、コンタクト取付姿勢においてプレート部１１の下面と略同一高さに位置しており、プレート部下面に突出する位置決めポスト１８ａ，１８ｂで実装基板の回路パターンと位置整合されたリード部３４が基板上の回路パターンに半田接合（サーフェースマウント）される。
【００２５】
カードホルダ２０は、ベースプレート１０に対して後端側が上下に揺動可能に取り付けられており、略中央部に略矩形状に形成された開口２３を有する矩形平板状のカバー部２１、カバー部２１の左右両端から下方へ折曲し前後に板状に延びる側面部２２，２２などからなり、ベースプレート１０と同様の樹脂材料を用いて射出成形等により一体成形される。
【００２６】
側面部２２の前後方向略中央部よりもやや後方に位置して、側面部２２の内壁側から外壁側に向けて断面略コの字状に上下に切り欠かれた切欠部２６が形成されている。この切欠部２６により、側面部２２の肉厚が他の部分よりも薄い薄肉部２７が部分的に形成されている。なお、切欠部２６や薄肉部２７は、左右の側面部２２のうちいずれにも形成されている。切欠部２６の後方面は下部が後方に斜め下方に傾斜しており、また、切欠部２６の後方面の上部は後方面の下部よりも後方に引っ込んだ位置において上下に延びており、切欠部２６にはベースプレート１０の中央張出部１４と位置整合し、側面部２２の前方に突出したホルダ側ロックアーム２２ｍが形成される。また、側面部２２には、切欠部２６よりもやや後方に位置して側面部２２の最下部が断面略半円状に切り欠かれ（図９参照）、係止部１６に係合可能な係合部２８が形成されている。この係合部２８は、左右の側面部２２のうちいずれにも形成されている。
【００２７】
カバー部２１の後端部分はカバー部２１と分かれて後方にアーム状に延びるアーム部２４，２４が形成され、各アーム部２４，２４の下部には、それぞれ左右外側に突出する側面視略半円状の軸部２５，２５が形成されている（図６参照）。この軸部２５，２５は、ベースプレート１０の軸支部１２，１２に形成された溝部２９と各々係合させることで、カードホルダ２０が軸支部１２，１２を揺動中心としてベースプレート１０に対して上下に揺動することが可能であり、カードホルダ２０を下方に（図６における矢印Ａ方向に）揺動させて倒伏姿勢にさせたときにはベースプレート１０を上方から覆うような状態となる。
【００２８】
これに対し、カードホルダ２０を、その倒伏姿勢の状態から矢印Ａとは逆方向に軸部２５を揺動中心として上方に揺動させると、カードホルダ２０は、図６に示すようにベースプレート１０に対して９０°以上の角度まで揺動する。このようにすることで、ＩＣチップ基板８０のベースプレート１０上への載置やベースプレート１０からの取り外しの際に、カードホルダ２０が邪魔にならないため、カードコネクタ１へのＩＣチップ基板８０の装着および取り外しが容易である。
【００２９】
カードホルダ２０が、倒伏姿勢になってベースプレート１０を上方から覆うような状態になると、カードホルダ２０のカバー部２１に形成された開口２３を通して、ベースプレート１０のプレート部１０の上面に形成された吸着部１５が露出される。この吸着部１５は、自動実装機に設けられカードコネクタを吸着保持する吸着部材（例えばエアノズル）を吸着させるために形成されている。このため、従来とは異なり吸着部材に吸着させるための吸着パットといったものを別途設けずに、自動実装機の吸着部材を吸着部に直接吸着させれば、カードコネクタ１を回路基板上の所望もしくは任意の位置に実装することが可能である。
【００３０】
左右の軸部２５，２５を受容して支持するベースプレート１０側の軸支部１２，１２には、軸部２５，２５を受容するための軸支空間が溝部２９，２９によって形成されており、この軸支空間内を溝部２９，２９によって案内されるようにして軸部２５，２５が前後に移動することが可能である（図６において後方に位置する状態を点線で示し、前方に位置する状態を鎖線で示す）。このため、軸支部１２に軸支されたカードホルダ２０は、ベースプレート１０に対して倒伏された倒伏姿勢の状態で前方に移動させることにより、倒伏姿勢の状態のまま、カードホルダ２０をベースプレート１０に対して前方に移動させることが可能である。すなわち、カードホルダ２０はベースプレート１０に対して開いた展開姿勢と、コンタクト３０，３０，…を上方から覆うようにベースプレート１０上に閉じた倒伏姿勢との間で上下に揺動（開閉）可能であり、且つ、カードホルダ２０がベースプレート１０と略平行な倒伏姿勢において前後にスライド移動可能である。
【００３１】
上記のようなカードコネクタ１の構成の下、カードコネクタ１にＩＣチップ基板８０を装着するには、まず、カードホルダ２０を上方に展開させた展開姿勢でＩＣチップ基板８０をベースプレート１０上に載置させる。次いで、カードホルダ２０を、軸部２４を揺動中心としてベースプレート１０の上面を覆うように倒伏させる。倒伏過程においてはカードホルダ２０は、図６に示すように、軸部２５を基端側としてベースプレート１０に対して略垂直に延びた状態から下方に（矢印Ａ方向に）揺動し、ベースプレート１０に対して略平行に延びた倒伏姿勢になる。
【００３２】
カードコネクタ１には、カードホルダ２０を倒伏姿勢の状態で前方にスライド移動した状態に係止保持する側面保持手段が設けられており、この側面保持手段は、ベースプレート１０の側面部１７に設けられた係止部１６と、カードホルダ２０の側面部２２に設けられた係合部２８とから構成される。この係止部１６は、左右の中央張出部１４の後方に形成され、また係合部２８は、側面部２２の切欠部２６の後方に形成されている。
【００３３】
また、カードコネクタ１には、カードホルダ２０が倒伏姿勢から上方に揺動するのを阻止して倒伏姿勢に係止保持するための係止保持手段が設けられている。係止保持手段は、左右の中央張出部１４に形成されたプレート側ロックアーム１４ｍおよびプレート側ロックアーム１４ｍに係合可能であって左右の側面部２２の切欠部２６に形成されたホルダ側ロックアーム２２ｍ、また、プレート部１０の前方保持部１３Ｌ，１３Ｒおよびカードホルダ２０の前端側における左右に形成され前方保持部１３Ｌ，１３Ｒに係止される突出端部２２Ｌ，２２Ｒから構成される。
【００３４】
両ロックアーム１４ｍ，２２ｍは、カードホルダ２０が展開姿勢から倒伏姿勢に揺動されるとき、途中までの揺動領域（開閉揺動領域）では離れて位置しており、カードホルダ２０が倒伏姿勢にされる終了揺動領域においてカードホルダ２０が前方にスライド移動され、ホルダ側ロックアーム２２ｍとプレート側ロックアーム１４ｍとが相互に係合し、カードホルダ２０が上方に揺動することを規制する。また、カードホルダ２０が前方にスライド移動するとともに、カードホルダ２０の係合部２８とベースプレート１０の係止部１６とが係合され、これにより、カードホルダ２０が前後方向に自由移動することを規制する。
【００３５】
さらに、本発明では、下記のようにしてカードホルダ２０の上方への揺動が確実に規制される。上述のように、ベースプレート１０の前方支持部１３Ｌ，１３Ｒの各底面後部には後方に向けて斜め下方に傾斜するプレート側テーパ面１３ｈ，１３ｈが形成されている。また、カードホルダ２０の前端側に延びて突出形成された側面部２２，２２の突出端部２２Ｌ，２２Ｒの上面には、後方に向けて斜め下方に傾斜するホルダ側テーパ面２２ｈ，２２ｈが形成されている。
【００３６】
前方支持部１３Ｌ，１３Ｒおよび突出端部２２Ｌ，２２Ｒは、カードホルダ２０が倒伏姿勢で前方にスライド移動されるとき、突出端部２２Ｌ，２２Ｒのホルダ側テーパ面２２ｈ，２２ｈが前方支持部１３Ｌ，１３Ｒのプレート側テーパ面１３ｈ，１３ｈに当接し、プレート側テーパ面１３ｈ，１３ｈに案内されるように前方に移動する。このように、プレート側テーパ面１３ｈ，１３ｈとホルダ側テーパ面２２ｈ，２２ｈとが互いに当接した状態で前方支持部１３Ｌ，１３Ｒと突出端部２２Ｌ，２２Ｒとが各々係合し、カードホルダ２０が開放方向に揺動することを規制する。
【００３７】
以上のように、ベースプレート１０の前方支持部１３Ｌ，１３Ｒとカードホルダ２０の突出端部２２Ｌ，２２Ｒとは、カードホルダ２０が揺動されつつベースプレート１０の前方にスライド移動される間に、ホルダ側テーパ面２２ｈ，２２ｈがホルダ側テーパ面２２ｈ，２２ｈに案内されるようにして互いに係合するように構成されている。これにより、前述のホルダ側ロックアーム２２ｍおよびプレート側ロックアーム１４ｍからなる係止保持手段、カードホルダ２０の係合部２８とベースプレート１０の係止部１６からなる側面保持手段と併せてカードホルダ２０がベースプレート１０に対してしっかりと固定保持される。
【００３８】
なお、カードホルダ２０をベースプレート１０に対して固定保持するには、カードホルダ２０を倒伏姿勢まで揺動させカードホルダ２０の左右の側面部２２を持ちながらカードホルダ２０を前方にスライド移動させるが、上述のようにカードホルダ２０の係合部２８の近傍に薄肉部２７が形成されている。ここで、カードホルダ２０を前方にスライド移動させた場合（図９で矢印Ｂ方向にスライド移動させた場合）、初めは切欠部２６内に収容されていた係止部１６が、カードホルダ２０の前方移動とともに弾性変形しつつカードホルダ２０を乗り越えて係合部２８と係合するため、係止部１６がカードホルダ２０を乗り越える際の衝撃により、カードホルダ２０の左右の側面部２２を持ちながら前方にスライド移動させる者が、より強いクリック感、手応えを得ることができる。
【００３９】
また、カードホルダ２０がベースプレート１０に固定された状態では、ＩＣチップ基板８０はコンタクト３０のバネ力により上方に付勢されており、ＩＣチップ基板８０はカードホルダ２０のカバー部２１の下面と、コンタクト３０およびプレート部１１とにより挟持されるため、ＩＣチップ基板８０が前後左右に自由移動することが規制されて強固な保持がなされる。
【符号の説明】
【００４０】
１  カードコネクタ
１０  ベースプレート
１１  プレート部
１２  軸支部
１３Ｌ，１３Ｒ  前方支持部（係止保持手段、プレート側係止部）
１３ｈ  プレート側テーパ面
１４  中央張出部
１４ｍ  プレート側ロックアーム
１５  吸着部
１６  係止部（側面保持手段、プレート側側面係止部）
１７  側面部（ベースプレート側側面部）
２０  カードホルダ
２１  カバー部
２２  側面部（ホルダ側側面部）
２２ｍ  ホルダ側ロックアーム
２２Ｌ ，２２Ｒ  突出端部（係止保持手段、ホルダ側係合部）
２２ｈ  ホルダ側テーパ面
２３  開口
２５  軸部
２６  切欠部
２７  薄肉部
２８  係合部（側面保持手段、ホルダ側側面係合部）
２９  溝部
３０  コンタクト
８０  ＩＣチップ基板（メモリカード）
８１  ＩＣチップ
８２  面端子（カード側端子）
【図１】
2010177215.tif 000003
【図２】
2010177215.tif 000004
【図３】
2010177215.tif 000005
【図４】
2010177215.tif 000006
【図５】
2010177215.tif 000007
【図６】
2010177215.tif 000008
【図７】
2010177215.tif 000009
【図８】
2010177215.tif 000010
【図９】
2010177215.tif 000011